(57)【要約】 【課題】  フレーミングガイドの表示の煩わしさが解消されるとともに操作性に優れた撮影装置および画像表示方法を提供する。【解決手段】  ＣＣＤ１１４上に被写体を結像して画像信号を生成するデジタルカメラ１において、電源をオンしてスルー画像を表示し、シャッタボタン１２の押下の初期が検出（Ｓ０がオン）された場合はフレーミングガイドを表示し、半押し（Ｓ１がオン）された場合はＡＥ／ＡＦ処理を行ない、さらに全押し（Ｓ２がオン）された場合は撮影を行なってフレーミングガイドを消去する。【選択図】  図４
2008219130.tif 000002
【特許請求の範囲】
【請求項１】
撮像素子上に被写体を結像して画像信号を生成する撮影装置において、
撮影を指示するシャッタボタンと、
撮影指示前に動画を表示する表示画面と、
前記シャッタボタンへの指の接触又は押下の初期を検出するタッチセンサと、
前記タッチセンサにより前記シャッタボタンへの指の接触又は押下の初期が検出されたことを受けて、前記表示画面上に動画に重ねて、フレーミングを案内するフレーミングガイドを表示させるフレーミングガイド表示手段とを備えたことを特徴とする撮影装置。
【請求項２】
前記タッチセンサが、前記シャッタボタンに指が触れたことを検出する静電センサであることを特徴とする請求項１記載の撮影装置。
【請求項３】
前記タッチセンサが、前記シャッタボタンの押下の初期を検出する電気的接点を備えたセンサであることを特徴とする請求項１記載の撮影装置。
【請求項４】
前記タッチセンサにより前記シャッタボタンへの指の接触又は押下の初期が検出されたことを受けてコンティニュアスオートフォーカス処理を開始するオートフォーカス手段をさらに備えたことを特徴とする請求項１記載の撮影装置。
【請求項５】
撮影を指示するシャッタボタンと、撮影指示前に動画を表示する表示画面と、前記シャッタボタンへの指の接触又は押下の初期を検出するタッチセンサとを備え、撮像素子上に被写体を結像して画像信号を生成する撮影装置における、該表示画面への画像表示方法であって、
前記タッチセンサにより前記シャッタボタンへの指の接触又は押下の初期が検出されたことを受けて、前記表示画面上に動画に重ねて、フレーミングを案内するフレーミングガイドを表示することを特徴とする画像表示方法。
【発明の詳細な説明】
【技術分野】
【０００１】
本発明は、撮像素子上に被写体を結像して画像信号を生成する撮影装置、および撮影装置の表示画面にフレーミングガイドを表示する画像表示方法に関する。
【背景技術】
【０００２】
従来より、撮影装置の１つであるデジタルカメラの中には、そのデジタルカメラに備えられた液晶モニタの表示画面上に、現在撮影されている動画（スルー画像）に重ねて、構図アシスト用のフレーミングを案内するフレーミングガイドを表示する機能を有するものがある。この構図アシスト用の機能を使用して撮影を行なう場合、ユーザは、デジタルカメラに備えられた所定の操作子を操作して、液晶モニタの表示画面上に、例えば表示画面を縦横に３分割するガイドライン（「縦横３分割フレーム」）からなるフレーミングガイドを表示しておき、スルー画像上にあらわれた被写体の大きさやバランスを見ながらその被写体を縦横のガイドラインの交点に配置したり、横のガイドラインに地平線や水平線を合わせたりして所望の構図を決定し、その後シャッタボタンを押下することで撮影を行なう。
【０００３】
ここで、フレーミングガイドの表示情報と、被写体人物の顔領域の情報とを比較し、これらの情報がずれている場合はその旨を音声や光の点滅等により被写体や撮影者に指示するデジタルカメラが提案されている（特許文献１参照）。このデジタルカメラによれば、液晶モニタに太陽光が照射する等に起因してフレーミングガイドの表示が見づらい場合であっても、ユーザが意図する構図で撮影を行なうことができる。
【０００４】
また、シャッタボタンを所定時間以上押し続けることで、メモリに記録される画像の領域を画定するための枠を液晶モニタの表示画面上に表示し、その枠内に被写体を納めるように撮影することのできるデジタルカメラが提案されている（特許文献２参照）。このデジタルカメラによれば、必要最小限のサイズで画像をメモリに記録することができる。
【特許文献１】特開２００６−７４３６８号公報
【特許文献２】特開平１１−１０３４４２号公報
【発明の開示】
【発明が解決しようとする課題】
【０００５】
上述したように、構図アシスト用のフレーミングを案内するフレーミングガイドを表示する機能を活用すると、被写体の大きさやバランス等を見ながら意図的な構図で撮影を行なうことができる。
【０００６】
しかし、従来の、フレーミングガイド表示機能を有する、特許文献１に提案されたデジタルカメラを含む撮影装置では、フレーミングガイドを表示させるためには、所定の操作子を操作してフレーミングガイドを表示するためのモードに設定する必要がある。また、このモード設定は、撮影を行なう前に予め行なっておく必要があるため、撮影にあたり操作性が悪いという問題がある。さらに、このモードに一旦設定すると、フレーミングガイドが常時表示され続けるため、スルー画像を見るにあたり、フレーミングガイドの表示が煩わしいという問題もある。
【０００７】
また、特許文献２に提案されたデジタルカメラの技術を採用して、画像領域を画定するための枠に代えてフレーミングガイドを表示することが考えられが、その場合、シャッタボタンを所定時間以上押し続ける必要がある。従って、やはり操作性が悪いという問題がある。
【０００８】
本発明は、上記事情に鑑み、フレーミングガイドの表示の煩わしさが解消されるとともに操作性に優れた撮影装置および画像表示方法を提供することを目的とする。
【課題を解決するための手段】
【０００９】
上記目的を達成する本発明の撮影装置は、撮像素子上に被写体を結像して画像信号を生成する撮影装置において、
撮影を指示するシャッタボタンと、
撮影指示前に動画を表示する表示画面と、
上記シャッタボタンへの指の接触又は押下の初期を検出するタッチセンサと、
上記タッチセンサにより上記シャッタボタンへの指の接触又は押下の初期が検出されたことを受けて、上記表示画面上に動画に重ねて、フレーミングを案内するフレーミングガイドを表示させるフレーミングガイド表示手段とを備えたことを特徴とする。
【００１０】
本発明の撮影装置では、シャッタボタンへの指の接触又は押下の初期により、表示画面上に動画に重ねて、フレーミングガイドが表示される。このため、従来の、撮影を行なう前に所定の操作子を操作してフレーミングガイドを表示させるためのモードに設定しておく技術と比較し、フレーミングガイドを表示するための操作性に優れている。また、動画に重ねてフレーミングガイドが常に表示され続けている場合は、動画が見づらいという問題が発生するが、本発明の撮影装置では、撮影が行なわれる直前にフレーミングガイドが表示されるため、動画が見やすくなるという利点を有する。
【００１１】
ここで、上記タッチセンサが、上記シャッタボタンに指が触れたことを検出する静電センサであってもよく、また、上記タッチセンサが、上記シャッタボタンの押下の初期を検出する電気的接点を備えたセンサであってもよい。
【００１２】
さらに、上記タッチセンサにより上記シャッタボタンへの指の接触又は押下の初期が検出されたことを受けてコンティニュアスオートフォーカス処理を開始するオートフォーカス手段をさらに備えたことも好ましい。
【００１３】
本発明の撮影装置では、上述したように、シャッタボタンへの指の接触又は押下の初期により、表示画面上に動画に重ねて、フレーミングガイドが表示される。このため、ユーザは、撮影にあたり、動画上にあらわれた被写体を、フレーミングガイドの縦横のガイドラインに合せるように構図をずらすケースが多く予想される。そこで、このようにすると、ユーザが構図をずらした場合であっても、オートフォーカス機能が追従するため、構図をずらしたことによるピントずれを防止することができる。
【００１４】
また、上記目的を達成する本発明の画像表示方法は、撮影を指示するシャッタボタンと、撮影指示前に動画を表示する表示画面と、上記シャッタボタンへの指の接触又は押下の初期を検出するタッチセンサとを備え、撮像素子上に被写体を結像して画像信号を生成する撮影装置における、その表示画面への画像表示方法であって、
上記タッチセンサにより上記シャッタボタンへの指の接触又は押下の初期が検出されたことを受けて、上記表示画面上に動画に重ねて、フレーミングを案内するフレーミングガイドを表示することを特徴とする。
【００１５】
本発明の画像表示方法は、タッチセンサによるシャッタボタンへの指の接触又は押下の初期を検出し、この検出を受けて表示画面上に動画に重ねてフレーミングガイドを表示する方法である。このため、従来の、撮影を行なう前に所定の操作子を操作してフレーミングガイドを表示させるためのモードに設定しておく技術と比較し、フレーミングガイドを表示するための操作性に優れている。また、動画に重ねてフレーミングガイドが常に表示され続けている場合は、動画が見づらいという問題が発生するが、本発明の画像表示方法は、撮影が行なわれる直前にフレーミングガイドを表示する方法であるため、動画が見やすくなるという利点を有する。
【発明の効果】
【００１６】
本発明によれば、フレーミングガイドの表示の煩わしさが解消されるとともに操作性に優れた撮影装置および画像表示方法を提供することができる。
【発明を実施するための最良の形態】
【００１７】
以下、本発明の実施の形態について説明する。
【００１８】
図１は、本発明の撮影装置の第１実施形態であるデジタルカメラを斜め右上から見た斜視図、図２は、図１に示すデジタルカメラを上方から見た上面図、図３は、図１に示すデジタルカメラを背面から見た背面図である。
【００１９】
このデジタルカメラ１は、撮像素子の１つであるＣＣＤ撮像素子（以下、ＣＣＤと記述する）上に被写体を結像して画像信号を生成する撮影装置である。尚、このデジタルカメラ１には、本発明の画像表示方法の一実施形態が適用されている。このデジタルカメラ１は、図１に示すようにカメラボディ１ａの中央にレンズ鏡胴１０が配備されている。また、このカメラボディ１ａの上面にはパワーボタン１１が配備されており、このパワーボタン１１が操作されたら、図１，図２に示すようにレンズ鏡胴１０が繰出されて撮影準備が整えられるようになっている。
【００２０】
さらに、カメラボディ１ａの上面には、電源投入用のパワーボタン１１のほか、本実施形態の特徴の１つである後述するシャッタボタン１２、およびそのシャッタボタン１２の廻りに撮影モードダイヤル１２＿１が配備されており、この撮影モードダイヤル１２＿１がＡＵＴＯ（図２参照）に切り替えられているときにシャッタボタン１２が押されて撮影が行なわれるときにはデジタルカメラ１の内部に自動的に撮影条件が設定されて撮影が行なわれる。また、この撮影モードダイヤル１２＿１がマニュアル（符号Ｍ）に切り替えられると、マニュアル撮影が行なわれるようになり、さらに動画撮影モードに切り替えられると、動画撮影が行なわれるようになり、シーンポジション（符号ＳＰ）側に切り替えられると、撮影シーンに応じた撮影条件がデジタルカメラ１内部に自動的に設定されて撮影が行なわれるようになる。
【００２１】
また、図３に示すように、カメラボディ１ａの背面側には、液晶モニタ１３が設けられている。この液晶モニタ１３の表示画面上には、撮影モード時には、スルー画像（本発明にいう動画の一例に相当）に重ねて、後述するようにして「縦横３分割フレーム」のフレーミングガイド１３ａが表示されたり、メニューが表示されたりする。この撮影モードにあるときに液晶モニタ１３の脇にある再生ボタン１４が一度押されると、再生モードに切り替わり既撮影画像が液晶モニタ１３の表示画面上に表示され、この再生ボタン１４が再度押されると、撮影モードに切り替わりスルー画像が液晶モニタ１３の表示画面上に表示される。また、再生モードボタン１４の横には、Ｆ（フォトモード）ボタン１５が配備されており、よく用いられるモード、例えばピクセル設定モードや感度設定モードなどの切り替えがこのＦボタン１５の操作により簡単に行なえるようにもなっている。
【００２２】
また、そのＦボタン１５の下方には十字キー１６やＯＫ／メニューボタン１７が配備され上方にはズームスイッチ１８が配備されている。これら十字キー１６やＯＫ／メニューボタン１７の操作により、セットアップメニューに切り替えて日時の設定や画像表示を行なうか否かの設定等を行なったり、撮影メニューに切り替えて連写，セルフタイマ等を選択したりすることができる。
【００２３】
さらに、十字キー１６の下方には、液晶モニタ１３の表示を切り換えたり操作を途中でやめるときなどに使用されるＤＳＰ／ＢＡＣＫボタン１９が配備されている。
【００２４】
また、図１に示すカメラボディ１ａの前面の右上には、キセノン管を備え、フラッシュ撮影時にはこのキセノン管から被写体に向けてフラッシュ光を発光するフラッシュ発光部２０が配備されている。さらに、フラッシュ発光部２０の下部には、測光センサ２１も配備されている。
【００２５】
図４は、図１に示すデジタルカメラの内部構成を示す図である。
【００２６】
このデジタルカメラ１には、図１に示すレンズ鏡胴１０に備えられた撮影光学系を構成するズームレンズ１０＿１ａ，アイリス１０＿１ｂ，フォーカスレンズ１０＿１ｃと、それらズームレンズ１０＿１ａ，アイリス１０＿１ｂ，フォーカスレンズ１０＿１ｃを駆動することによりズーミング，露光量調整，フォーカシングを行なうためのモータドライバ１１１，１１２，１１３が備えられている。
【００２７】
また、このデジタルカメラ１には、ＣＣＤ１１４と、タイミングジェネレータ１１５と、ＣＰＵ１１６とが備えられている。
【００２８】
ＣＣＤ１１４は、ズームレンズ１０＿１ａ，アイリス１０＿１ｂ，フォーカスレンズ１０＿１ｃを経由してきた被写体光を捉える固体撮像素子である。このＣＣＤ１１４には、入射された被写体光を電気信号である画像信号に変換するフォトダイオード等の光電変換素子が多数個備えられている。
【００２９】
タイミングジェネレータ１１５は、ＣＰＵ１１６からの指示により所定のタイミングでＣＣＤ１１４を駆動する。これにより、ＣＣＤ１１４に入射されている被写体光が所定のフレームレートで光電変換され、そのＣＣＤ１１４からアナログ画像信号として出力される。
【００３０】
ＣＰＵ１１６は、このデジタルカメラ１全体の制御を行なう。具体的には、ＣＰＵ１１６にはＲＯＭが内蔵されており、その内蔵されたＲＯＭのプログラムの手順にしたがってデジタルカメラ１全体の動作が制御される。また、このＣＰＵ１１６は、後述するタッチセンサによりシャッタボタン１２への押下の初期が検出されたことを受けて、液晶モニタ１３の表示画面上にスルー画像に重ねて、フレーミングを案内するフレーミングガイド１３ａを表示させる本発明にいうフレーミングガイド表示手段の役割りを担うものでもある。
【００３１】
さらに、デジタルカメラ１には、ＣＣＤ１１４から出力されたアナログ画像信号の雑音を低減する処理等を行なうＣＤＳＡＭＰ１１７と、その処理等が施されたアナログ画像信号をデジタル画像信号にアナログ／デジタル変換するＡ／Ｄ変換部１１８と、Ａ／Ｄ変換部１１８でデジタル画像信号に変換されたＲＧＢからなる画像データをデータバスを介して、メモリであるＳＤＲＡＭ１２５に転送する画像入力コントローラ１１９とが備えられている。
【００３２】
また、デジタルカメラ１には、ＳＤＲＡＭ１２５の画像データを読み出させ、ＹＣ信号への変換を行なう画像処理プロセスを実行する画像信号処理回路１２０と、画像処理プロセスが終了した時点でＪＰＥＧプロセスを実行して画像データの圧縮を行なう圧縮処理回路１２１と、画像データをビデオ信号に変換して前述した液晶モニタ１３に導くためのビデオエンコーダ１２２とが備えられている。
【００３３】
さらに、デジタルカメラ１には、画像のピント情報を検出するＡＦ検出回路１２３と、画像の輝度情報と白色バランス情報を検出するＡＥ＆ＡＷＢ検出部１２４と、作業領域用のメモリとして使用される前述したＳＤＲＡＭ１２５と、Ａ領域，Ｂ領域を有する表示用のバッファとしてのＶＲＡＭ１２６と、画像データを記録メディア１００に記憶するための制御を行なうメディアコントローラ１２７とが備えられている。
【００３４】
また、この図３には、前述したパワーボタン１１，撮影モードダイヤル１２＿１，再生ボタン１４，Ｆボタン１５，十字キー１６，ＯＫ／メニューボタン１７，ズームスイッチ１８，ＤＳＰ／ＢＡＣＫボタン２１からなる操作子群１０＿１００、および前述したフラッシュ発光部３０が示されている。さらに、この図３には、後述するシャッタボタン１２も示されている。
【００３５】
ここで、デジタルカメラ１の動作について簡単に説明する。このデジタルカメラ１の動作は統括的にＣＰＵ１１６により制御される。このＣＰＵ１１６内にはＲＯＭが内蔵されており、その内蔵されたＲＯＭ内にプログラムが格納されている。このプログラムの手順にしたがってデジタルカメラ１全体の動作がＣＰＵ１１６により制御される。また、ＳＤＲＡＭ１２５にはＲＯＭに記述されているプログラムの手順にしたがってＣＰＵ１１６がこのデジタルカメラ１全体を制御しているときに、処理中の画像データが一時的に格納されたりする。
【００３６】
また、表示用のバッファとしてのＶＲＡＭ１２６にはスルー画像を表わす画像データがＡ領域、Ｂ領域に順次記憶され、それらの領域にある画像データが交互にビデオエンコーダ１２２に供給され画像データに基づく画像が順次切り換えられてスルー画像として液晶モニタ１３の表示画面上に表示される。
【００３７】
次に、このデジタルカメラ１の画像データの流れについて簡単に説明する。ＣＰＵ１１６は撮影光学系を経由した被写体光をＣＣＤ１１４で捉え、そのＣＣＤ１１４で生成される画像データを所定の間隔ごとにＣＤＳＡＭＰ１１７側へ出力させ、Ａ／Ｄ変換部１１８，画像入力コントローラ１１９，画像信号処理回路１２０で表示可能な画像データに変換してスルー画像を液晶モニタ１３の表示画面上に表示させる。また、液晶モニタ１３には、後述するようにしてフレーミングガイド１３ａも表示されており、ユーザによるフレーミングガイド１３ａを参考にして所望の構図になるような変更が行なわれ、ＡＦ検出回路１２３が絶えずフォーカスレンズ１０＿１ｃを光軸方向に対して前後させ合焦点検出を行なって、典型的にはフレーミングガイド１３ａの中央に焦点のあった画像をＣＣＤ１１４に結像させる。このときにはＡＥ＆ＡＷＢ検出回路１２４によって被写界輝度が検出され、その検出結果に基づいてモータドライバ１１２により小絞、あるいは開放絞りが設定されたり、ホワイトバランス調整のため、Ｒ、Ｇ、Ｂの各色信号のゲインが調整されたりする。このように被写界輝度に応じて露出が調節され焦点のあった画像を表わす画像データを、タイミングジェネレータ１１５からのタイミング信号に応じて所定の間隔ごとにＣＤＳＡＭＰ１１７へ出力させ、後段でスルー画像を得ている。ユーザは、このスルー画像が表わす被写体の大きさやバランスを見ながらその被写体をフレーミングガイド１３ａを構成する縦横のガイドラインの交点に配置したり、横のガイドラインに地平線や水平線を合わせたりして所望の構図を決定してレリーズ操作を行なう。レリーズ操作の詳細については後述するが、このレリーズ操作が行なわれると、ＣＰＵ１１６は、ＣＣＤ１１４にレリーズ操作時の画像を結像させるため、タイミングジェネレータ１１５からタイミング信号を供給させる。このタイミング信号はＣＣＤ１１４に露光開始および露光終了を告げるものでありいわゆるシャッタスピードに相当する。ＣＰＵ１１６はこの露光終了時にＣＣＤ１１４から画像データ（ＲＧＢの光の３原色Ｒ，Ｇ、Ｂからなる画像データ）を出力させ、後段のＣＤＳＡＭＰ１１７に供給させる。さらに、ＣＤＳＡＭＰ１１７でそのＣＣＤ１１４から出力された画像データの雑音が低減され、その雑音が低減された画像データがＡ／Ｄ変換部１１８でデジタル信号に変換される。このＡ／Ｄ変換部１１８でデジタル信号に変換されたＲＧＢからなる画像データは、後段の画像入力コントローラ１１９によりデータバスを介してＳＤＲＡＭ１２５に供給され、このＳＤＲＡＭ１２５にＣＣＤ１１４のすべての画素の画像データが記憶される。すべての画素データに対応する画像データがＳＤＲＡＭ１２５に記憶されると、ＣＰＵ１１６が画像信号処理回路１２０の画像処理プロセスを起動させ、その画像処理プロセスによってＳＤＲＡＭ１２５の画像データを読み出させ、ＹＣ信号への変換を行なわせる。さらに、この画像信号処理回路１２０の画像処理プロセスが終了したことをＣＰＵ１１６が検知すると、ＣＰＵ１１６は圧縮処理回路１２１のＪＰＥＧプロセスを起動させ、ＪＰＥＧプロセスによって画像データの圧縮を行なわせる。この圧縮処理回路１２１での圧縮が完了したことをＣＰＵ１１６が検知すると、ＣＰＵ１１６は次に記録処理プロセスを起動させ、ＪＰＥＧ圧縮された画像データを、メディアコントローラ１２７を介して記録メディア１００に記録させる。以上が撮影データの流れである。
【００３８】
図５は、図４に示すシャッタボタンの、押下されていない時の状態を示す断面構造図、図６は、図４に示すシャッタボタンの、押下の初期の状態を示す断面構造図である。また、図７は、図４に示すシャッタボタンの、押下がさらに進められた状態（半押し状態）を示す断面構造図、図８は、図４に示すシャッタボタンの全押し状態を示す断面構造図である。
【００３９】
図５に示すシャッタボタン１２は、図５の状態から図８の状態になるまでの、所定の押下ストロークを有し、押下を、押下の初期（図６）と半押し状態（図７）と全押し状態（図８）との３ヶ所で検出するとともに、半押し状態（図７）と全押し状態（図８）との２段にクリック感を与えるものである。以下、図５を参照してシャッタボタン１２の構造について説明する。
【００４０】
図５に示すようにシャッタボタン１２の押下受け部１２＿１１がカメラボディ１ａに穿設された孔１ａ＿１に嵌挿されている。このシャッタボタン１２の押下受け部１２＿１１をデジタルカメラ１のカメラボディ１ａに取り付けるにあたっては、シャッタボタン１２を取り付け易いようにカメラボディ１ａの内側の、シャッタボタン１２を配設する部分にカメラボディ１ａの内壁に固定された内パネル１ｂを設けておいて、その内パネル１ｂとカメラボディ１ａの内壁とで押下受け部１２＿１１を挟み込むようにしてシャッタボタン１２を取り付けるようにしている。ここでは、押下受け部１２＿１１の鍔部１２＿１Ａをカメラボディ１ａの内壁に押し付けるようにバネ１２＿３で付勢して押下受け部１２＿１１をカメラボディ１ａにうまく取り付けている。
【００４１】
この付勢用のバネ１２＿３のバネ定数を適当に選択することで押下受け部１２＿１１を指で押すときの操作荷重が定められる。また、押下受け部１２＿１１から下方に延びるようにして設けられている押圧軸部１２＿２にそのバネ１２＿３を巻回しておいて常時安定した操作荷重で押下受け部１２＿１１を押すことができるようにもしてある。
【００４２】
また、押下受け部１２＿１１が押下されたときに押下受け部１２＿１１とともに押圧軸部１２＿２が下降してその先端がＣＰＵ１１６等が実装されている制御基板２００に達するように内パネル１ｂにも孔１ｂ＿１が設けられている。また、その押圧軸部１２＿２の先端部と制御基板２００との間には、弓状の弾性体１２＿５，１２＿６が２つ設けられており、これらの弾性体１２＿５，１２＿６によって２段にクリック感が与えられるようになっている。
【００４３】
また、内パネル１ｂの、制御基板２００側の面には、導電部１２＿７が添設されその導電部１２＿７と制御基板２００に形成されているグランドパターンとが線材１２＿７１により接続されている。その導電部１２＿７に接するようにして可動接触片１２＿８が配設されている。この可動接触片１２＿８は、押下受け部１２＿１１から下方に向けて延設されている押圧軸部１２＿２が上下動する方向を横切るようにして配設されており、一方の端部側がその導電部１２＿７に接触するようにして配設されその反対の側の端部が制御基板２００に設けられている固定部２０１に固定されている。その可動接触片１２＿８の一方の端部側から反対の端部側にも導電部（不図示）が形成されており、その導電部と制御基板２００に形成されているグランドパターンとが線材１２＿８１により接続されている。
【００４４】
また、可動接触片１２＿８には、その一部に凸部１２＿８２が設けられており、その凸部１２＿８２が弾性体１２＿５により図中上側に付勢されるようにして配設されているため、押下操作部１２＿１が操作されない状態においては可動接触片１２＿８と導電部１２＿７との接触が確実に保たれるようになっている。
【００４５】
このような構成にすることで、押下受け部１２＿１１が押下されない状態においては、可動接触片１２＿８と導電部１２＿７との接触が保たれて押下受け部１２＿１１が押下され始めたらすぐに接触片１２＿８の端部が導電部１２＿７から離れて開放状態になる電気接点を備えたセンサ（本発明にいうタッチセンサの一例）を具備したシャッタボタン１２が構成される。換言すれば、シャッタボタン１２の押下の初期を検出する電気的接点を備えたタッチセンサが実現される。ＣＰＵ１１６は、このタッチセンサによりシャッタボタン１２の押下の初期が検出されたことを受けて、液晶モニタ１３の表示画面上にスルー画像に重ねて、フレーミングを案内するフレーミングガイド１３ａを表示させる。
【００４６】
即ち、押下操作が開始された後、弾性体１２＿５によりクリック感が与えられる前に図５に示す状態から図６に示す状態になって可動接触片１２＿８と導電部１２＿７との接触が解かれて開放状態になり、ＣＰＵ１１６によって押下操作されたことが検知されるようになる（後述するＳ０オン状態）。その後、押下受け部１２＿１１の押下が進められていくと図７に示すように弾性体部１２＿５によって１段目のクリック感が与えられて半押し状態（後述するＳ１オン状態）になる。この時点で、ＣＰＵ１１６は、ＡＦ検出回路１２３に指示してピント設定を行なわせるとともに、ＡＥ＆ＡＷＢ検出回路１２４に指示して露出設定を行なわさせる。
【００４７】
さらに１段目のクリック感が与えられた後、押下が進められていくと、図８に示すように弾性部材１２＿６によって２段目のクリック感が与えられる。このときに弾性部材１２＿６の、制御基板２００側の面に形成されている導電部（不図示）が、制御基板２００上の２本パターンに跨って接して開放状態にあった分離パターン２０１を短絡状態に変えることにより、全押しされたことがＣＰＵ１１６により検知されるようになる（後述するＳ２オン状態）。このようになると、ＣＰＵ１１６は、タイミングジェネレータ１１５を制御してタイミングジェネレータ１１５にＣＣＤ１１４に向けて露光開始信号および露光終了信号を供給させて全押し時の被写体をＣＣＤ１１４に結像させるとともに露光終了時にＡ／Ｄ変換部１１８へと全押し時の被写体を表わす画像信号を出力させる。
【００４８】
図９は、第１実施形態のデジタルカメラで撮影を行なう場合の一連の処理の流れを示すフローチャートである。
【００４９】
先ず、ステップＳ１において、電源をオンする。次いでステップＳ２において、スルー画像を表示する。さらに、ステップＳ３において、Ｓ０がオンか否か（シャッタボタン１２の押下の初期が検出されたか否か）が判定される。Ｓ０がオンでないと判定された場合はステップＳ２に戻る。一方、Ｓ０がオンであると判定された場合はステップＳ４に進む。
【００５０】
ステップＳ４では、フレーミングガイド１３ａを表示する。さらに、ステップＳ５において、Ｓ１がオンか否か（半押し状態か否か）が判定される。Ｓ１がオンでないと判定された場合はステップＳ４に戻る。一方、Ｓ１がオンであると判定された場合はステップＳ６に進む。
【００５１】
ステップＳ６では、ＡＥ／ＡＦ処理を行なう。さらに、ステップＳ７において、Ｓ２がオンか否か（全押しされたか否か）が判定される。Ｓ２がオンでないと判定された場合はステップＳ６に戻る。一方、Ｓ２がオンであると判定された場合はステップＳ８に進む。
【００５２】
ステップＳ８では、撮影を行なう。即ち、ＣＣＤ１１４上に結像した被写体を表わす画像信号を処理して記録メディア１００に記録する。さらに、ステップＳ９において、フレーミングガイド１３ａを消去してこのフローを終了する。
【００５３】
上述したように、本発明の撮影装置の第１実施形態であるデジタルカメラ１では、シャッタボタン１２の押下の初期により、液晶モニタ１３の表示画面上にスルー画像に重ねて、フレーミングガイド１３ａが表示される。このため、従来の、撮影を行なう前に所定の操作子を操作してフレーミングガイドを表示させるためのモードに設定しておく技術と比較し、フレーミングガイド１３ａを表示するための操作性に優れている。また、スルー画像に重ねてフレーミングガイド１３ａが常に表示され続けている場合は、スルー画像が見づらいという問題が発生するが、このデジタルカメラ１では、撮影が行なわれる直前にフレーミングガイド１３ａが表示されるため、スルー画像が見やすくなるという利点を有する。
【００５４】
図１０は、本発明の撮影装置の第２実施形態であるデジタルカメラの内部構成を示す図である。
【００５５】
尚、第２実施形態のデジタルカメラの外観図は、第１実施形態のデジタルカメラ１の外観図と同じであるため、図示省略する。
【００５６】
図１０に示す第２実施形態のデジタルカメラ２は、第１実施形態のデジタルカメラ１と比較し、図５〜図８を参照して説明した電気的接点を備えたタッチセンサを具備したシャッタボタン１２に代えて、静電センサ（本発明にいうタッチセンサの他の一例）を具備したシャッタボタン２１２が備えられている点が異なっている。具体的には、このシャッタボタン２１２は、このシャッタボタン２１２に指が触れたことを検出する第１のスイッチ部である静電センサと、１段目のクリック感が与えられて半押し状態（Ｓ１オン状態）を検出する電気的接点および２段目のクリック感が与えられて全押し状態（Ｓ２オン状態）を検出する電気的接点からなる第２のスイッチ部からなる、いわゆるハイブリッドスイッチ構成になっている。尚、静電センサは公知技術のものを使用することができ、従って静電センサの構成の説明は省く。
【００５７】
このデジタルカメラ２では、シャッタボタン２１２に指が触れたことが静電センサで検出される。ＣＰＵ１１６では、これを受けて液晶モニタ１３の表示画面上にスルー画像に重ねて、フレーミングガイド１３ａを表示する。このため、上述したデジタルカメラ１と同様に、フレーミングガイド１３ａを表示するための操作性に優れているとともに、スルー画像が見やすくなるという利点を有する。
【００５８】
図１１は、図１０に示すデジタルカメラで撮影を行なう場合の一連の処理の流れを示すフローチャートである。
【００５９】
図１０に示すデジタルカメラ２で撮影を行なうには、先ず、ステップＳ１１において、電源をオンする。次いでステップＳ１２において、スルー画像を表示する。さらに、ステップＳ１３において、静電センサがオンか否か（シャッタボタンに指が触れたか否か）が判定される。静電センサがオンでないと判定された場合はステップＳ１２に戻る。一方、静電センサがオンであると判定された場合はステップＳ１４に進む。
【００６０】
ステップＳ１４では、フレーミングガイド１３ａを表示する。さらに、ステップＳ１５において、Ｓ１がオンか否か（半押し状態か否か）が判定される。Ｓ１がオンでないと判定された場合はステップＳ１４に戻る。一方、Ｓ１がオンであると判定された場合はステップＳ１６に進む。
【００６１】
ステップＳ１６では、ＡＥ／ＡＦ処理を行なう。さらに、ステップＳ１７において、Ｓ２がオンか否か（全押しされたか否か）が判定される。Ｓ２がオンでないと判定された場合はステップＳ１６に戻る。一方、Ｓ２がオンであると判定された場合はステップＳ１８に進む。
【００６２】
ステップＳ１８では、撮影を行なう。さらに、ステップＳ１９において、フレーミングガイド１３ａを消去してこのフローを終了する。
【００６３】
図１２は、本発明の撮影装置の第３実施形態であるデジタルカメラの内部構成を示す図である。
【００６４】
尚、第３実施形態のデジタルカメラの外観図は、第１実施形態のデジタルカメラ１の外観図と同じであるため、図示省略する。
【００６５】
図１２に示す第３実施形態のデジタルカメラ３は、図４に示す第１実施形態のデジタルカメラ１と比較し、図４に示すＡＦ検出回路１２３に代えて、シャッタボタン１２の押下の初期が検出されたことを受けてコンティニュアスオートフォーカス処理を開始するＡＦ検出回路３２３が備えられている。また、図４に示すＡＥ＆ＡＷＢ検出回路１２４に代えて、シャッタボタン１２の押下の初期が検出されたことを受けてコンティニュアスオート露出処理を開始するＡＥ＆ＡＷＢ検出回路３２４も備えられている。
【００６６】
このデジタルカメラ３においても、シャッタボタン１２の押下の初期により、液晶モニタ１３の表示画面上にスルー画像に重ねてフレーミングガイド１３ａが表示される。このため、ユーザは、撮影にあたり、スルー画像上にあらわれた被写体を、フレーミングガイド１３ａの縦横のガイドラインに合せるように構図をずらすケースが多く予想される。そこで、このようにすることにより、ユーザが構図をずらした場合であっても、オートフォーカス機能およびオート露出機能が追従するため、構図をずらしたことによるピントずれや露出ずれを防止することができる。
【００６７】
図１３は、図１２に示すデジタルカメラで撮影を行なう場合の一連の処理の流れを示すフローチャートである。
【００６８】
このデジタルカメラ３で撮影を行なうには、先ず、ステップＳ２１において、電源をオンする。次いでステップＳ２２において、スルー画像を表示する。さらに、ステップＳ２３において、Ｓ０がオンか否か（シャッタボタン１２の押下の初期が検出されたか否か）が判定される。Ｓ０がオンでないと判定された場合はステップＳ２２に戻る。一方、Ｓ０がオンであると判定された場合はステップＳ２４に進む。
【００６９】
ステップＳ２４では、フレーミングガイド１３ａを表示する。さらに、ステップＳ２５において、Ｓ１がオンか否か（半押し状態か否か）が判定される。Ｓ１がオンでないと判定された場合はステップＳ２４に戻る。一方、Ｓ１がオンであると判定された場合はステップＳ２６に進む。
【００７０】
ステップＳ２６では、コンティヌアスモードでＡＥ／ＡＦ処理を行なう。さらに、ステップＳ２７において、Ｓ２がオンか否か（全押しされたか否か）が判定される。Ｓ２がオンでないと判定された場合はステップＳ２６に戻る。一方、Ｓ２がオンであると判定された場合はステップＳ２８に進む。
【００７１】
ステップＳ２８では、撮影を行なう。さらに、ステップＳ２９において、フレーミングガイド１３ａを消去してこのフローを終了する。
【００７２】
尚、上述した実施形態では、本発明にいう撮像素子として、ＣＣＤの例で説明したが、これに限られるものではなく、本発明にいう撮像素子は、ＣＭＯＳセンサや有機半導体であってもよい。
【００７３】
また、上述した本実施形態では、本発明にいう撮影装置として、デジタルカメラの例で説明したが、これに限られるものではなく、本発明にいう撮影装置は、携帯電話に搭載されるカメラやビデオカメラ等であってもよい。
【図面の簡単な説明】
【００７４】
【図１】本発明の撮影装置の第１実施形態であるデジタルカメラを斜め右上から見た斜視図である。
【図２】図１に示すデジタルカメラを上方から見た上面図である。
【図３】図１に示すデジタルカメラを背面から見た背面図である。
【図４】図１に示すデジタルカメラの内部構成を示す図である。
【図５】図４に示すシャッタボタンの、押下されていない時の状態を示す断面構造図である。
【図６】図４に示すシャッタボタンの、押下の初期の状態を示す断面構造図である。
【図７】図４に示すシャッタボタンの、押下がさらに進められた状態（半押し状態）を示す断面構造図である。
【図８】図４に示すシャッタボタンの全押し状態を示す断面構造図である。
【図９】第１実施形態のデジタルカメラで撮影を行なう場合の一連の処理の流れを示すフローチャートである。
【図１０】本発明の撮影装置の第２実施形態であるデジタルカメラの内部構成を示す図である。
【図１１】図１０に示すデジタルカメラで撮影を行なう場合の一連の処理の流れを示すフローチャートである。
【図１２】本発明の撮影装置の第３実施形態であるデジタルカメラの内部構成を示す図である。
【図１３】図１２に示すデジタルカメラで撮影を行なう場合の一連の処理の流れを示すフローチャートである。
【符号の説明】
【００７５】
１，２，３  デジタルカメラ
１ａ  カメラボディ
１ａ＿１，１ｂ＿１  孔
１ｂ  内パネル
１０  レンズ鏡胴
１０＿１ａ  ズームレンズ
１０＿１ｂ  アイリス
１０＿１ｃ  フォーカスレンズ
１０＿１００  操作子群
１１  パワーボタン
１２，２１２  シャッタボタン
１２＿１  撮影モードダイヤル
１２＿１Ａ  鍔部
１２＿２  押圧軸部
１２＿３  バネ
１２＿５，１２＿６  弾性体
１２＿７  導電部
１２＿１１  押下受け部
１２＿７１，１２＿８１  線材
１２＿８  可動接触片
１２＿８２  凸部
１３  液晶モニタ
１３ａ  フレーミングガイド
１４  再生ボタン
１５  Ｆボタン
１６  十字キー
１７  ＯＫ／メニューボタン
１８  ズームスイッチ
１９  ＤＳＰ／ＢＡＣＫボタン
２０  フラッシュ発光部
２１  測光センサ
１００  記録メディア
１１１，１１２，１１３  モータドライバ
１１４  ＣＣＤ
１１５  タイミングジェネレータ
１１６  ＣＰＵ
１１７  ＣＤＳＡＭＰ
１１８  Ａ/Ｄ変換部
１１９  画像入力コントローラ
１２０  画像信号処理回路
１２１  圧縮処理回路
１２２  ビデオエンコーダ
１２３，３２３  ＡＦ検出回路
１２４，３２４  ＡＥ＆ＡＷＢ検出回路
１２５  ＳＤＲＡＭ
１２６  ＶＲＡＭ
１２７  メディアコントローラ
２００  制御基板
２０１  固定部
【図１】
2008219130.tif 000003
【図２】
2008219130.tif 000004
【図３】
2008219130.tif 000005
【図４】
2008219130.tif 000006
【図５】
2008219130.tif 000007
【図６】
2008219130.tif 000008
【図７】
2008219130.tif 000009
【図８】
2008219130.tif 000010
【図９】
2008219130.tif 000011
【図１０】
2008219130.tif 000012
【図１１】
2008219130.tif 000013
【図１２】
2008219130.tif 000014
【図１３】
2008219130.tif 000015